(57)【要約】  【課題】  使用上において便利になるとともに、釣り針の離脱作業を確実に完成することができ、釣り針を魚の口から迅速に離脱させることができる。  【解決手段】  本体１および釣り針本体２を有する。本体１には収容空間１３と欠け口部１５が設けられ、欠け口部１５は本体１の一端に設けられる。釣り針本体２は本体１の中に収容され、釣り針本体２には第一延伸部２２が設けられ、第一延伸部２２の一端には開口溝２４と開口部２４１が設けられる。釣り針本体２の開口部２４１は本体１から伸出したり縮入したりするように形成され、そして欠け口部１５と開口溝２４の一部分は位置を合わせるように構成されている。【選択図】    図１
0003148584.tif 000002
【実用新案登録請求の範囲】
【請求項１】
本体（１）および釣り針本体（２）を有する釣り針離脱具において、本体（１）には第一位置決め部（１１）、第二位置決め部（１２）、収容空間（１３）と欠け口部（１５）が設けられ、第一位置決め部（１１）と第二位置決め部（１２）は本体（１）の一端に設けられ、欠け口部（１５）は本体（１）の他端に設けられ、釣り針本体（２）は本体（１）の中に収容され、釣り針本体（２）には係止部（２１）と第一延伸部（２２）が設けられ、第一延伸部（２２）には係止部材（２３）が設けられ、第一延伸部（２２）の一端は係止部（２１）に連接され、第一延伸部（２２）の他端には開口溝（２４）が設けられ、開口溝（２４）には開口溝（２４）の幅より小さい開口部（２４１）が形成され、釣り針本体（２）の係止部材（２３）が本体（１）の第一位置決め部（１１）または第二位置決め部（１２）に嵌入することにより、釣り針本体（２）の開口溝（２４）に設けられる開口部（２４１）は本体（１）から伸出したり縮入したりするように形成され、そして本体（１）の欠け口部（１５）と釣り針本体（２）の一部分の開口溝（２４）は位置決め孔として形成されることを特徴とする釣り針離脱具。
【請求項２】
釣り針本体（２）には弾性部材（３）が嵌め付けられ、釣り針本体（２）が押圧された後、釣り針本体（２）は弾性部材（３）により復位するように形成されることを特徴とする請求項１に記載の釣り針離脱具。
【請求項３】
本体（１）の一端には押圧部材（４）が嵌め付けられ、押圧部材（４）にはリング部（４１）と第二延伸部（４２）が設けられ、第二延伸部（４２）には突出部（４２１）が設けられ、突出部（４２１）は本体（１）の第一位置決め部（１１）と位置合わせるように形成されることを特徴とする請求項１または２に記載の釣り針離脱具。
【請求項４】
本体（１）の収容空間（１３）には止め部（１４）が設けられ、さらに釣り針本体（２）には当接部（２５）が設けられ、弾性部材（３）の両端はそれぞれ止め部（１４）と当接部（２５）により当接されることを特徴とする請求項２に記載の釣り針離脱具。
【請求項５】
本体（１）の止め部（１４）は大小の径差を有する円錐状体からなることを特徴とする請求項４に記載の釣り針離脱具。
【請求項６】
釣り針本体（２）の当接部（２５）は大小の径差を有するように形成されることを特徴とする請求項４に記載の釣り針離脱具。
【請求項７】
釣り針本体（２）の係止部（２１）には収容溝（２１２）が設けられ、収容溝（２１２）の上端と底端にはそれぞれ位置決め溝（２１１）が設けられ、係止部材（２３）の両端はそれぞれ位置決め溝（２１１）に固定され、収容溝（２１２）は係止部材（２３）の押圧空間を形成するようになっていることを特徴とする請求項１または２に記載の釣り針離脱具。
【請求項８】
係止部材（２３）には止め面（２３１）と傾斜面（２３２）が設けられ、止め面（２３１）は第一位置決め部（１１）または第二位置決め部（１２）に嵌合するように形成されることを特徴とする請求項１または２に記載の釣り針離脱具。
【考案の詳細な説明】
【技術分野】
【０００１】
本考案は、釣り針離脱具に関するもので、特に魚の口の奥等に刺さった釣り針を当該口内から取り外すための釣り針離脱具に係るものである。
【背景技術】
【０００２】
従来の釣り針離脱具として、例えば図５に示す釣り針離脱具９が知られている。この釣り針離脱具９は、柄９１の先端部に係止部９２が設けられている。係止部９２は、溝孔９２１と、開口部９２２と、凹欠部９２３とを備えている。開口部９２２と溝孔９２１は互いに連接（連続）するように形成され、凹欠部９２３は係止部９２の上端（即ち、柄９１の先端）に形成されている。
図６に示すように、使用者が例えば魚の口の奥に刺さった釣り針９３を当該口内から取り外そうとする時、先ず釣り針離脱具９の先端部を魚の口内に挿入することによって、開口部９２２に釣り針９３を挿入し、釣り針９３を溝孔９２１の中に進入させた後、柄９１を魚の口内に押し込むことによって、釣り針９３を魚の口の奥から抜いた後、釣り糸９４を引っ張って釣り針９３を溝孔９２１にきつく係止させ、そして使用者は柄９１を回動させることによって、釣り針９３が再び魚の口内等に刺さらないようにしてから、当該釣り針９３を魚の口から離脱させる（取り出す）ことができる。その他に、釣り針９３が比較的大きいサイズである場合、使用者は凹欠部９２３を利用して魚の口の奥に刺さった釣り針９３を当該口の奥から抜いた後、凹欠部９２３を、釣り糸９４を引っ張ることによって釣り針９３にきつく当接させ、そして柄９１を回動させることによって釣り針９３を魚の口から離脱させることができる。
【０００３】
また、従来の釣り針離脱具として、例えば、特許文献１「簡易式釣り針離脱棒」において示されているように、主として棒体によって形成されたものが知られている。上記棒体の一端には上凹欠口が設けられている。この上凹欠口は、当該上凹欠口の案内溝に魚の口の奥に刺さった釣り針を挿入して棒体を魚の口内に押し込むことにより、当該釣り針を当該魚の口の奥から抜くことが可能になっている。上記棒体の案内溝の円弧部はちょうど釣り針の円弧部に当接することが可能になっている。そして、釣り糸を引っ張って、棒体と共に釣り針を魚の口内から引っ張り出すことができるようになっている。さらに、上記棒体の他端には側凹欠口が設けられている。この側凹欠口は、当該側凹欠口の円弧部が釣り糸に沿って上記釣り針の円弧部まで円滑に移動するようにするのに用いられ、そして上記釣り糸を引っ張ると共に、上記棒体を部分的に回動させてから当該棒体を魚の口内から引き出すことにより、釣り針を魚の口内から離脱させることができるようにしたものである。
【特許文献１】中華民国公告第２８６４７９号
【考案の開示】
【考案が解決しようとする課題】
【０００４】
ところが、上述した従来の釣り針離脱具においては、一般に下記の問題点を有している。例えば、使用者は片手で上記釣り針離脱具を制御し、そしてもう一方の手で釣り糸９４を引っ張らなければ、釣り針９３を魚の口から離脱させることができない。しかし、捕獲される魚は跳ねるため、釣り針９３は開口部９２２から溝孔９２１に進入し難くなり、さらに釣り針９３が溝孔９２１に進入した後、釣り糸９４を引っ張らなければ、釣り針９３を溝孔９２１に当接して固定することができず、そうでなければ、釣り針９３は開口部９２２から滑り出してしまったり、または釣り針９３が再び魚の口内に刺さってしまったりするという問題点を有する。このため、上記のような従来の釣り針離脱具をさらに改良しなければならない。
【０００５】
本考案はこのような問題点に鑑みてなされたものであって、その第一の目的とするところは、使用上において便利になるとともに、釣り針の離脱作業を確実に完成することができる釣り針離脱具を提供しようとするものである。
【０００６】
本考案の第二の目的とするところは、釣り針を魚の口から迅速に離脱させることができる釣り針離脱具を提供しようとするものである。
【課題を解決するための手段】
【０００７】
上記目的を達成するために、本考案による釣り針離脱具は、下記のようになるものである。すなわち、
本体および釣り針本体を有する。本体には第一位置決め部、第二位置決め部、収容空間と欠け口部が設けられ、第一位置決め部と第二位置決め部は本体の一端に設けられ、欠け口部は本体の他端に設けられる。釣り針本体は本体の中に収容され、釣り針本体には係止部と第一延伸部が設けられ、第一延伸部には係止部材が設けられ、第一延伸部の一端は係止部に連接され、第一延伸部の他端には開口溝が設けられ、開口溝には開口溝の幅より小さい開口部が形成される。釣り針本体の係止部材が本体の第一位置決め部または第二位置決め部に嵌入することにより、釣り針本体の開口溝に設けられる開口部は本体から伸出（突出）したり縮入（没入）したりするように形成され、そして本体の欠け口部と釣り針本体の一部分の開口溝は位置決め孔として形成される。
【０００８】
また、本考案による釣り針離脱具は、釣り針本体には弾性部材が嵌め付けられ、釣り針本体が押圧された後、釣り針本体は弾性部材により復位するように形成されることもできる。また、本体の一端には押圧部材が嵌め付けられ、押圧部材にはリング部と第二延伸部が設けられ、第二延伸部には突出部が設けられ、突出部は本体の第一位置決め部と位置を合わせる（位置合わせする）ように形成されることもできる。また、本体の収容空間には止め部が設けられ、さらに釣り針本体には当接部が設けられ、弾性部材の両端はそれぞれ止め部と当接部により当接されることもできる。また、本体の止め部は大小の径差を有する円錐状体からなることもできる。また、釣り針本体の当接部は大小の径差を有するように形成されることもできる。また、釣り針本体の係止部には収容溝が設けられ、収容溝の上端と底端にはそれぞれ位置決め溝が設けられ、係止部材の両端はそれぞれ位置決め溝に固定され、収容溝は係止部材の押圧空間に形成される（押圧空間を形成するようになっている）こともできる。また、係止部材には止め面と傾斜面が設けられ、止め面は第一位置決め部または第二位置決め部に嵌合するように形成されることもできる。
【考案の効果】
【０００９】
本考案の釣り針離脱具によれば、使用上において便利になるとともに、釣り針の離脱作業を確実に完成することができるという利点がある。
【００１０】
本考案の釣り針離脱具によれば、釣り針を魚の口から迅速に離脱させることができるという利点がある。
【考案を実施するための最良の形態】
【００１１】
本考案の実施の形態について、以下、図面を参照して説明する。
【００１２】
図１は本考案の実施形態の釣り針離脱具による分解斜視図であり、図２は本考案の実施形態の釣り針離脱具による釣り針本体が伸出（突出）している状態の説明図である。図１、２を参照すると、本考案の釣り針離脱具には少なくとも本体１および釣り針本体２が含まれる。また、必要に応じて弾性部材３と押圧部材４などの部材を設けることができる。上記部材は堅固な金属などの材料により製成（製作）することができ、好ましくは選択的に鉄、鋼、銅、アルミ、金属合金、炭素繊維または各種の複合材料等により製成することができる。釣り針本体２は本体１の中に置き入れられる（挿入されるようになっている）。また、必要であれば、釣り針本体２の外周面に弾性部材３を嵌め付けることができ、そして本体１の一端に押圧部材４を嵌め付けることができる。
【００１３】
再び図１、２を参照すると、本体１には第一位置決め部１１、第二位置決め部１２、収容空間１３と少なくとも一個の欠け口部１５が設けられる。第一位置決め部１１と第二位置決め部１２は本体１の一端（一端側の円筒部）に設けられ、そして少なくとも一個の欠け口部１５は本体１の他端（他端側の円筒部）の端面（先端面）に設けられる。第一位置決め部１１と第二位置決め部１２は好ましくは貫通孔からなり、そして本体１の一端としての円筒部の外表面と収容空間１３を貫通するように形成される。また、本体１の収容空間１３には止め部１４が設けられ、本考案の実施形態において止め部１４は好ましくは大小の径差を有する円錐状体（円錐台状体）からなる。即ち、止め部１４は、本体１の一端としての大径の円筒部と、当該本体の他端としての小径の円筒部とを接続する円錐台状の筒体によって形成されており、内部の収容空間１３を円錐台状に形成するようになっている。
【００１４】
釣り針本体２には係止部２１、第一延伸部２２、係止部材２３、開口溝２４と当接部２５が含まれる。係止部２１には圧縮自在な係止部材２３が設けられ、係止部材２３には止め面２３１と傾斜面２３２が含まれる。係止部材２３は本体１の第一位置決め部１１または第二位置決め部１２に係止されることができる。本考案の実施形態において、係止部材２３は押圧可能な弾力性（本体１の一端の外周面側から作用する押圧力によって変形した場合でも元の形状に復元可能な弾力性）を有する。係止部２１には収容溝２１２が凹むように設けられ、収容溝２１２の上下両端（図１の図面から見れば）にはそれぞれ位置決め溝２１１が設けられ、二個の位置決め溝２１１は係止部材２３の両端が嵌入して固定して位置決めするのに用いられ、収容溝２１２を利用して係止部材２３の押圧移動空間を形成する。なお、収容溝２１２は、円柱状に形成された係止部２１の外周面から凹状に形成されている。第一延伸部２２は係止部２１に連接され、そして第一延伸部２２の終止端（先端部）には開口溝２４が設けられ、開口溝２４には開口が開口溝２４の幅より小さい開口部２４１が形成される。なお、第一延伸部２２は、係止部２１と同軸状に一体的に連結された断面円形の棒状に形成されている。その他に、本考案の実施形態において、釣り針本体２には当接部２５が設けられ、当接部２５は係止部２１と第一延伸部２２を利用して大小の径差を有するように形成される。即ち、当接部２５は、係止部２１と第一延伸部２２との径の違いにより生じる段差部によって形成されている。
【００１５】
釣り針本体２は本体１の収容空間１３の中に嵌設され（挿入され）、係止部材２３の止め面２３１が第一位置決め部１１または第二位置決め部１２に係止されるのを利用し、釣り針本体２の第一延伸部２２に設けられる開口溝２４の開口部２４１を本体１の中に伸出したり縮入したりすることができる。
【００１６】
弾性部材３は好ましくはバネ（コイルスプリング）からなり、弾性部材３を第一延伸部２２の外周面に軸方向に移動自在に嵌め付けることができる。弾性部材３の一端は当接部２５に当接され、そして弾性部材３の他端は本体１の中の止め部１４に当接されることにより、釣り針本体２に設けられる開口溝２４の開口部２４１は常に本体１の中に縮入できるような復位の力を有するように形成される。即ち、弾性部材３は、当接部２５と、止め部１４との間に圧縮された状態で保持され、開口溝２４を本体１内に没入する方向の弾性力を釣り針本体２に付与するようになっている。
【００１７】
押圧部材４にはリング部４１と第二延伸部４２が設けられる。リング部４１は本体１の一端に嵌め付けられる。第二延伸部４２の一端はリング部４１に連接され、第二延伸部４２の他端には突出部４２１が設けられ、突出部４２１と本体１の第一位置決め部１１とは互いに位置を合わせるように形成される。なお、リング部４１は本体１の一端の外周面にに嵌合することによって当該本体１に固定されるようになっている。
【００１８】
図３は本考案の実施形態の釣り針離脱具による釣り針本体２が縮入している状態の説明図であり、図４は本考案の実施形態の釣り針離脱具による使用状態の説明図である。図３を参照すると、係止部材２３の止め面２３１が第二位置決め部１２に係止される時、弾性部材３は解放の状態に形成され、そして釣り針本体２の第一延伸部２２と開口溝２４の開口部２４１とはちょうど本体１の中に縮合され、さらに欠け口部１５と一部分の開口溝２４とはちょうど一個の位置決め孔として形成される。即ち、欠け口部１５と開口溝２４の一部分は位置を合わせるように構成されている。
【００１９】
再び図２、３、４を参照すると、使用者が魚の口の例えば奥に刺さった釣り針５を取り外そうとする時、使用者は釣り針本体２の上端を下方に押圧することにより、係止部材２３の斜面２３２を第二位置決め部１２から下方に滑り出させ，それから係止部材２３の止め面２３１を第一位置決め部１１の中に移動して、止め面２３１を第一位置決め部１１の上縁に係止させる。この時、開口溝２４と開口部２４１は本体１から伸出し、そして弾性部材３は釣り針本体２の当接部２５の押圧を受けることにより、弾性部材３は圧縮の状態を保つように形成される。そのため、使用者は釣り針離脱具の開口溝２４の開口部２４１から釣り針５を通過させ、釣り針５を開口溝２４に進入させる。そして押圧部材４の第二延伸部４２を押圧することにより、突出部４２１を係止部材２３に当接させ、さらに止め面２３１を第一位置決め部１１から離脱させ、それから弾性部材３の復位の力によって係止部材２３の止め面２３１を第二位置決め部１２の上縁に係止させる。この時、釣り針５は欠け口部１５と一部分の開口溝２４により形成される位置決め孔の中に固定されるため、使用者は本体１を回動させることによって釣り針５を魚の口から離脱させることができる。即ち、欠け口部１５と開口溝２４の一部とによって形成された位置決め孔によって釣り針５を確実に保持することができ、このように釣り針５を保持した上で釣り針離脱具を魚の口の中に押し込むように移動することによって、釣り針５を魚の口の奥から抜くことができ、その後、釣り針離脱具を単に軸回りに回転するだけで、釣り針５の向きを変えることができ、これにより釣り針５が再び魚の口の内部等に刺さるのを防止しながら、釣り針離脱具を魚の口内から引き出すように移動することにより、当該釣り針５を魚の口内から簡単に取り出すことができる。
【００２０】
上述の如く、本考案の釣り針離脱具によれば、欠け口部１５と一部分の開口溝２４によって形成される位置決め孔により、釣り針５を安定にして位置決めすることができるとともに、開口溝２４の開口部２４１が本体１の中に縮入されるため、釣り針５は開口溝２４の開口部２４１から離脱することなく、使用者は簡単に釣り針離脱具を使用して釣り針５を確実に固定し、そして釣り針５を魚の口から確実に離脱させることができるため、本考案の釣り針離脱具によれば、釣り針の離脱作業がさらに簡単かつ迅速になることができる。
【００２１】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２２】
【図１】本考案の実施形態の釣り針離脱具を示す分解斜視図である。
【図２】本考案の実施形態の釣り針離脱具による釣り針本体が伸出している状態を示す説明図である。
【図３】本考案の実施形態の釣り針離脱具による釣り針本体が縮入している状態を示す説明図である。
【図４】本考案の実施形態の釣り針離脱具による使用状態を示す説明図である。
【図５】従来の釣り針離脱具を示す平面図である。
【図６】従来の釣り針離脱具による使用状態を示す説明図である。
【符号の説明】
【００２３】
１    本体
１１    第一位置決め部
１２    第二位置決め部
１３    収容空間
１４    止め部
１５    欠け口部
２    釣り針本体
２１    係止部
２１１    位置決め溝
２１２    収容溝
２２    第一延伸部
２３    係止部材
２３１    止め面
２３２    傾斜面
２４    開口溝
２４１    開口部
２５    当接部
３    弾性部材
４    押圧部材
４１    リング部
４２    第二延伸部
４２１    突出部
５    釣り針
９    釣り針離脱具
９１    柄
９２    係止部
９２１    溝孔
９２２    開口部
９２３    凹欠部
９３    釣り針
９４    釣り糸
【図１】
0003148584.tif 000003
【図２】
0003148584.tif 000004
【図３】
0003148584.tif 000005
【図４】
0003148584.tif 000006
【図５】
0003148584.tif 000007
【図６】
0003148584.tif 000008